(57)【要約】【課題】ＩＥＥＥ１３９４等のシリアルインタフェースのみで繋がれたＡＶ機器と、ブルートゥース等の無線通信方式あるいは光無線方式インタフェースのみで繋がれたＡＶ機器との間において、一方から他方を制御することができない。【解決手段】シリアルインタフェース上のコントローラ１００−ａから、ＩＥＥＥ１３９４上のターゲット１００−ｄへパワーオンコマンドを伝送する場合、プロトコル変換器１００−ｆに対してターゲット１００−ｄの識別番号Ｓｄに対応するプロトコル変換器１００−ｆ内の識別番号Ｐｄに向けてパワーオンコマンドを送信する。プロトコル変換器１００−ｆは、識別番号対照表１２０−ｆから識別番号Ｐｄに対応したＩＥＥＥ１３９４インタフェース上での識別番号Ｗｄに対してパワーオンコマンドを送信する。これにより、ターゲット１００−ｄは、受信したパワーオンコマンドに基づき自機器の電源をオンにする。【選択図】            図１
2004312225.tif 000002
【特許請求の範囲】
【請求項１】
所定のシリアルインタフェースポートを有する一又は二以上の第１の電子機器と、前記所定のシリアルインタフェースポートと所定の無線通信方式のポートを有するプロトコル変換器と、前記所定の無線通信方式のポートを有する一又は二以上の第２の電子機器とからなり、前記第１及び第２の電子機器と前記プロトコル変換器はそれぞれ互いに重複しない唯一の識別番号をそれぞれ有する電子機器システムであって、
前記プロトコル変換器は、前記第１の電子機器から前記所定のシリアルインタフェースに基づき送信された、前記第２の電子機器のうち所望の一の電子機器宛の第１の制御コマンドを受信し、前記所定の無線通信方式のインタフェースに基づく第２の制御コマンドに変換して前記第２の電子機器のうち所望の一の電子機器宛へ送信する第１の送受信手段と、前記第２の電子機器から前記所定の無線通信方式のインタフェースに基づき送信された、前記第１の電子機器のうち所望の一の電子機器宛の第３の制御コマンドを受信し、前記所定のシリアルインタフェースに基づく第４の制御コマンドに変換して前記第１の電子機器のうち所望の一の電子機器宛へ送信する第２の送受信手段とを備え、
前記第１の送受信手段は、前記第２の電子機器の識別番号と前記プロトコル変換器内で割り付けられる識別番号とを関連付けた第１の識別番号対照表を用いて制御コマンドの変換を行う第１の変換手段を有し、
前記第２の送受信手段は、前記第１の電子機器の識別番号と前記プロトコル変換器内で割り付けられる識別番号とを関連付けた第２の識別番号対照表を用いて制御コマンドの変換を行う第２の変換手段を有することを特徴とする電子機器システム。
【請求項２】
所定のシリアルインタフェースポートを有する一又は二以上の第１の電子機器と、前記所定のシリアルインタフェースポートと所定の無線通信方式のポートを有するプロトコル変換器と、前記所定の無線通信方式のポートを有する一又は二以上の第２の電子機器とからなり、前記第１及び第２の電子機器と前記プロトコル変換器はそれぞれ互いに重複しない唯一の識別番号をそれぞれ有する電子機器システムにおける制御コマンドの伝送方法であって、
前記第１の電子機器又は前記第２の電子機器の一方の一の電子機器から他方の所望の電子機器へ第１の制御コマンドを送信する第１のステップと、
前記送信された第１の制御コマンドを前記プロトコル変換器が受信して、前記第１の制御コマンドの受信側電子機器の識別番号と該プロトコル変換器内で割り付けられる識別番号とを関連付けた識別番号対照表を用いて前記所望の電子機器のインタフェースの形式に適合した第２の制御コマンドに変換する第２のステップと、
前記プロトコル変換器が前記第２の制御コマンドを、前記他方の所望の電子機器へ送信する第３のステップと
を含むことを特徴とする制御コマンド伝送方法。
【発明の詳細な説明】
【０００１】
【発明の属する技術分野】
本発明は電子機器システム及び制御コマンド伝送方法に係り、特に所定のシリアルインタフェース及び所定の無線通信方式あるいは光無線方式インタフェースを具備する電子機器システム及び制御コマンド伝送方法に関する。
【０００２】
【従来の技術】
ディジタルデータを扱う電子機器（例えば、ＶＣＲ（Ｖｉｄｅｏ  Ｃａｓｓｅｔｔｅ  Ｒｅｃｏｒｄｅｒ）やＳＴＢ（Ｓｅｔ  Ｔｏｐ  Ｂｏｘ）など）を相互に接続するインタフェースとして、米国電気電子技術者協会（ＩＥＥＥ）が規格化した「ＩＥＥＥ１３９４ハイ・パフォーマンス・シリアルバス」（以下、ＩＥＥＥ１３９４と略記する）がある。
【０００３】
このＩＥＥＥ１３９４は、２種類のデータ転送モードを備えている。すなわち、通常のデータ転送に使用する非同期（Ａｓｙｎｃｈｒｏｎｏｕｓ）転送モードと、所定の時間（例えば１２５マイクロ秒）内にデータ転送されることが保証されている同期（Ｉｓｏｃｈｒｏｎｏｕｓ）転送モードである。
【０００４】
例えば、マルチメディアシステムでは、非同期転送モードは転送の時間遅れがあまり問題にならないコマンドなどの転送に、同期転送モードは時間遅れが問題となる動画や音声データなどの転送に用いられる。
【０００５】
ＩＥＥＥ１３９４を搭載する電子機器は、機器毎に異なる６４ビットのＮｏｄｅ  Ｕｎｉｑｕｅ  ＩＤ（以下、ＮＵＩＤと略記する）と呼ばれる識別番号を、コンフィギュレーション（Ｃｏｎｆｉｇｕｒａｔｉｏｎ）ＲＯＭと呼ばれる機器の情報を格納するメモリに持つことが決められている。そのため、ＩＥＥＥ１３９４を搭載する電子機器の個々の識別は容易である。
【０００６】
ＩＥＥＥ１３９４でＡＶ（Ａｕｄｉｏ／Ｖｉｄｅｏ）機器を制御するための仕様に、１３９４ＴＡ（Ｔｒａｄｅ  Ａｓｓｏｃｉａｔｉｏｎ）が定めた「ＡＶ／Ｃディジタル  インタフェース  コマンドセット  ジェネラル  スペシフィケーション」（以下、この仕様に基づくコマンドをＡＶ／Ｃコマンドと略記する）がある（例えば、非特許文献１参照）。その仕様の中で、図９に示すＡＶ／Ｃコマンドフレームを使用してコマンドを送信することが決められている。なお、ＡＶ／Ｃコマンドフレームの転送には前記非同期転送モードが使用される。
【０００７】
次に、図９に示されるＡＶ／Ｃコマンドフレームを説明する。同図において、「００００」は、コマンドセットがＡＶ／Ｃディジタル  インタフェース  コマンドセットであることを示す。「ｃｔｙｐｅ」は、コマンドタイプ（Ｃｏｍｍａｎｄ  ｔｙｐｅ）を示す。このコマンドタイプは、表１に示すように、値（Ｖａｌｕｅ）が「０」から「Ｆ１６」まであり、各値に対応して、コントロール（ＣＯＮＴＲＯＬ）、ステータス（ＳＴＡＴＵＳ）等のコマンドタイプが定められている。
【表１】
2004312225.tif 000003
【０００８】
また、図９において、「Ｓｕｂｕｎｉｔ＿ｔｙｐｅ」は、サブユニットのタイプを示す。このサブユニットのタイプは表２に示すように、値（Ｖａｌｕｅ）が「０」から「１Ｆ１６」まであり、各値に対応して、ビデオモニタ、ディスクレコーダ／プレーヤ（オーディオ又はビデオ）、テープレコーダ／プレーヤ（オーディオ又はビデオ）、チューナー等のサブユニットタイプが定められている。
【表２】
2004312225.tif 000004
【０００９】
また、図９において、「Ｓｕｂｕｎｉｔ＿ＩＤ」は、サブユニットの中での識別番号である。このサブユニットＩＤは、表３に示すように、値が「０」から「７」まであり、それぞれの値に対応して意味が定められている。このサブユニットＩＤにより各サブユニットのうち最大５台までを識別できる。
【表３】
2004312225.tif 000005
上記の「Ｓｕｂｕｎｉｔ＿ｔｙｐｅ」と「ｓｕｂｕｎｉｔ＿ＩＤ」を合わせて、表４に示すように、ＡＶ／Ｃアドレスといい、８ビットで構成される。
【表４】
2004312225.tif 000006
【００１０】
また、図９において、「ｏｐｃｏｄｅ」はコマンドの内容を示す。更に、図９において、「ｏｐｅｒａｎｄ［０］、［ｎ］」は前記「ｏｐｃｏｄｅ」に付帯するパラメータを示す。例えば、表５に示すように、ｏｐｃｏｄｅ＝Ｂ２１６、ｏｐｅｒａｎｄ＝７０１６はパワーオンを表す。
【表５】
2004312225.tif 000007
【００１１】
次に、ＩＥＥＥ１３９４で使用されるユニットとサブユニットについて説明する。ユニットとは一つのＡＶ機器を示し、サブユニットはそのＡＶ機器内の機能単位を表す。例えば、図１０はＶＣＲの例を示す。通常ＶＣＲは、チューナー部分とテープレコーダ／プレイヤ部分を併せ持つ。ＶＣＲがユニット、チューナーとテープレコーダ／プレイヤがサブユニットとなる。
【００１２】
ＡＶ／Ｃコマンドはユニットに対してではなく、サブユニットに対しても送ることが可能である。例えば、ｓｕｂｕｎｉｔ＿ｔｙｐｅ＝１Ｆ１６，Ｓｕｂｕｎｉｔ＿ＩＤ＝７，ｏｐｃｏｄｅ＝Ｂ２１６，ｏｐｅｒａｎｄ＝７０１６をＶＣＲに送ると、ＶＣＲ全体がパワーオンする。一方、Ｓｕｂｕｎｉｔ＿ｔｙｐｅ＝５，ｓｕｂｕｎｉｔ＿ＩＤ＝０，ｏｐｃｏｄｅ＝Ｂ２１６，ｏｐｅｒａｎｄ＝７０１６をＶＣＲに送ると、ＶＣＲの中のチューナー部分がパワーオンする。
【００１３】
ところで、近距離無線通信方式の一つとしてブルートゥース（Ｂｌｕｅｔｏｏｔｈ）がある。ブルートゥースはＩＳＭ（Ｉｎｄｕｓｔｒｉａｌ  Ｓｃｉｅｎｔｉｆｉｃ  Ｍｅｄｉｃａｌ）バンドの一つである２．４ＧＨｚ帯を使用するため、ユーザーは免許無しで使用可能である。また、変調にスペクトラム拡散の一つである周波数ホッピング方式を使っているため、他の機器との電波干渉に強い。また、１０ｍ〜１００ｍ程度の近距離通信であることと小型携帯機器への搭載を考えて規格が策定されたため、消費電力は低く抑えられている。
【００１４】
このような特長を持つブルートゥースは、図１１に模式的に示すように、同図に黒丸で示す１台のマスタと、白丸で示すスレーブが無線通信ネットワークを構成することができる。なお、スレーブは最大７台まで接続が可能である。この無線通信ネットワークはピコネットと呼ばれる。ネットワークに参加している個々の機器は、各機器のもつ４８ビットのブルートゥースアドレスという識別番号によって、容易に識別できる。
【００１５】
ブルートゥースでＡＶ機器を制御するためのブルートゥースＳＩＧ（Ｓｐｅｃｉａｌ  Ｉｎｔｅｒｅｓｔ  Ｇｒｏｕｐ）は、ＩＥＥＥ１３９４と同じＡＶ／Ｃコマンドを使用することが定められている（例えば、非特許文献２参照）。以上のようにブルートゥースはＡＶ機器の制御に適した特性を備えている。
【００１６】
図１２は従来の電子機器システムの一例のシステム構成図を示す。この従来の電子機器システムは、中継器としてのＡＶ機器Ｇ（１００−ｇ）と、シリアルインタフェースケーブル５０、５１、５２を介して相互にＡＶ機器Ｇ（１００−ｇ）のシリアルインタフェースコネクタ１０２−ｇ、１０３−ｇ、１０４−ｇに接続されている３台のＡＶ機器Ａ（１００−ａ）、ＡＶ機器Ｂ（１００−ｂ）及びＡＶ機器Ｃ（１００−ｃ）と、無線通信方式あるいは光無線方式インタフェースを介して相互に接続されている２台のＡＶ機器Ｄ（１００−ｄ）及びＡＶ機器Ｅ（１００−ｅ）が同時に存在する電子機器システムである。ＡＶ機器Ａ、Ｂ及びＣは前記ＮＵＩＤ１３０−ａ、１３０−ｂ、１３０−ｃを有し、ＡＶ機器Ｇも前記ＮＵＩＤ１３０−ｇを有する。ここでは、ＡＶ機器Ａ（１００−ａ）がコントローラ、ＡＶ機器Ｃ（１００−ｃ）がターゲットであるものとする。
【００１７】
次に、この従来の電子機器システムのコントローラ（ＡＶ機器Ａ）１００−ａから、同じくシリアルインタフェース上に存在するターゲット（ＡＶ機器Ｃ）１００−ｃへパワーオンコマンドを送信する処理手順について、図１３のフローチャートと共に説明する。
【００１８】
まず、コントローラ（ＡＶ機器Ａ）１００−ａに対して、ターゲット（ＡＶ機器Ｃ）１００−ｃへのパワーオンコマンドが入力される（図１３のステップ３００）。すると、コントローラ（ＡＶ機器Ａ）１００−ａは、シリアルインタフェース上にターゲット（ＡＶ機器Ｃ）１００−ｃが存在するかを調べる（図１３のステップ３０１）。
【００１９】
図１２に示すように、シリアルインタフェース上にターゲット（ＡＶ機器Ｃ）１００−ｃが存在する場合は、コントローラ（ＡＶ機器Ａ）１００−ａのシリアルインタフェースコネクタ１０２−ａからターゲット（ＡＶ機器Ｃ）１００−ｃへのパワーオンコマンドを送信する（図１３のステップ３０２）。なお、シリアルシリアルインタフェース上にターゲット（ＡＶ機器Ｃ）１００−ｃが存在しない場合は、処理を終了する。
【００２０】
次に、図１２中の中継器（ＡＶ機器Ｇ）１００−ｇの処理手順について、図１４のフローチャートと共に説明する。上記のようにコントローラ（ＡＶ機器Ａ）１００−ａのシリアルインタフェースコネクタ１０２−ａから送信されたターゲット（ＡＶ機器Ｃ）１００−ｃへのパワーオンコマンドは、シリアルインタフェースケーブル５０を介して中継器（ＡＶ機器Ｇ）１００−ｇのシリアルインタフェースコネクタ１０２−ｇに入力されて受信される（図１４のステップ３１１）。すると、中継器（ＡＶ機器Ｇ）１００−ｇは、シリアルインタフェースコネクタ１０３−ｇ及び１０４−ｇからターゲット（ＡＶ機器Ｃ）１００−ｃへのパワーオンコマンドを送信する（図１４のステップ３１２）。
【００２１】
これにより、ターゲット（ＡＶ機器Ｃ）１００−ｃは、図１５のフローチャートに示す処理手順で動作する。すなわち、ターゲット（ＡＶ機器Ｃ）１００−ｃが、中継器（ＡＶ機器Ｇ）１００−ｇからシリアルインタフェースケーブル５２を介してシリアルインタフェースコネクタ１０２−ｃに、ターゲット（ＡＶ機器Ｃ）１００−ｃへのパワーオンコマンドを受信すると（図１５のステップ３３０）、自機器のパワーをオンする（図１５のステップ３３１）。
【００２２】
【非特許文献１】
１３９４  Ｔｒａｄｅ  Ａｓｓｏｃｉａｔｉｏｎ，  ＡＶ／Ｃ  Ｄｉｇｉｔａｌ  Ｉｎｔｅｒｆａｃｅ  Ｃｏｍｍａｎｄ  Ｓｅｔ−Ｇｅｎｅｒａｌ  Ｓｐｅｃｉｆｉｃａｔｉｏｎ，Ｖｅｒｓｉｏｎ４．０
【非特許文献２】
ＡＵＤＩＯ／ＶＩＤＥＯ  ＲＥＭＯＴＥ  ＣＯＮＴＲＯＬ  ＰＲＯＦＩＬＥ  Ｄｒａｆｔ  ０．９５ｂ  Ｍａｒｃｈ，２００２
【００２３】
【発明が解決しようとする課題】
しかるに、図１２の電子機器システムでは、シリアルインタフェース上に存在するコントローラ（ＡＶ機器Ａ）１００−ａから無線通信方式あるいは光無線方式インタフェース上に存在するターゲット（ＡＶ機器Ｄ）１００−ｄへパワーオンコマンドを送信しようとした場合、ターゲット（ＡＶ機器Ｄ）１００−ｄはシリアルインタフェース上に存在しないため、コントローラ（ＡＶ機器Ａ）１００−ａからのコマンドを受信することはできない（図１３のステップ３０１分岐ＮＯ）。
【００２４】
すなわち、従来の電子機器システムでは、ＩＥＥＥ１３９４とブルートゥース両方のインタフェースを有するＡＶ機器は、プロトコル変換器に３種類の識別番号の対照表を持つことによって可能であるが、ＩＥＥＥ１３９４等のシリアルインタフェースのみで繋がれたＡＶ機器からブルートゥース等の無線通信方式あるいは光無線方式インタフェースのみで繋がれたＡＶ機器を制御することはできず、また逆にブルートゥース等の無線通信方式あるいは光無線方式インタフェースのみで繋がれたＡＶ機器からＩＥＥＥ１３９４等のシリアルインタフェースのみで繋がれたＡＶ機器を制御することは不可能である。
【００２５】
本発明は上記の点に鑑みなされたもので、シリアルインタフェース上の電子機器から送信された制御コマンドをプロトコル変換器が無線通信方式あるいは光無線方式による制御信号に変換して送信することによって、無線通信方式あるいは光無線方式インタフェース上の電子機器で受信可能とした電子機器システム及び制御コマンド伝送方法を提供することを目的とする。
【００２６】
また、本発明の他の目的は、無線通信方式あるいは光無線方式インタフェース上の電子機器から送信された制御コマンドを、プロトコル変換器がシリアルインタフェースによる制御信号に変換して送信することによって、シリアルインタフェース上の電子機器で受信可能にする電子機器システム及び制御コマンド伝送方法を提供することにある。
【００２７】
【課題を解決するための手段】
上記の目的を達成するため、本発明の電気機器システムは、所定のシリアルインタフェースポートを有する一又は二以上の第１の電子機器と、所定のシリアルインタフェースポートと所定の無線通信方式のポートを有するプロトコル変換器と、所定の無線通信方式のポートを有する一又は二以上の第２の電子機器とからなり、第１及び第２の電子機器とプロトコル変換器はそれぞれ互いに重複しない唯一の識別番号をそれぞれ有する電子機器システムであって、プロトコル変換器は、第１の電子機器から所定のシリアルインタフェースに基づき送信された、第２の電子機器のうち所望の一の電子機器宛の第１の制御コマンドを受信し、所定の無線通信方式のインタフェースに基づく第２の制御コマンドに変換して第２の電子機器のうち所望の一の電子機器宛へ送信する第１の送受信手段と、第２の電子機器から所定の無線通信方式のインタフェースに基づき送信された、第１の電子機器のうち所望の一の電子機器宛の第３の制御コマンドを受信し、所定のシリアルインタフェースに基づく第４の制御コマンドに変換して第１の電子機器のうち所望の一の電子機器宛へ送信する第２の送受信手段とを備え、第１の送受信手段は、第２の電子機器の識別番号とプロトコル変換器内で割り付けられる識別番号とを関連付けた第１の識別番号対照表を用いて制御コマンドの変換を行う第１の変換手段を有し、第２の送受信手段は、第１の電子機器の識別番号とプロトコル変換器内で割り付けられる識別番号とを関連付けた第２の識別番号対照表を用いて制御コマンドの変換を行う第２の変換手段を有する構成としたものである。
【００２８】
この発明では、第１の電子機器から所定のシリアルインタフェースに基づき送信された第１の制御コマンドは、プロトコル変換器により、所定の無線通信方式の第２の制御コマンドに変換して第２の電子機器のうち所望の一の電子機器宛へ送信でき、第２の電子機器から所定の無線通信方式に基づき送信された第３の制御コマンドは、プロトコル変換器により、所定のシリアルインタフェースに基づく第４の制御コマンドに変換して第１の電子機器のうち所望の一の電子機器宛へ送信することができる。
【００２９】
また、上記の目的を達成するため、本発明の制御コマンド伝送方法は、所定のシリアルインタフェースポートを有する一又は二以上の第１の電子機器と、所定のシリアルインタフェースポートと所定の無線通信方式のポートを有するプロトコル変換器と、所定の無線通信方式のポートを有する一又は二以上の第２の電子機器とからなり、第１及び第２の電子機器とプロトコル変換器はそれぞれ互いに重複しない唯一の識別番号をそれぞれ有する電子機器システムにおける制御コマンドの伝送方法であって、第１の電子機器又は第２の電子機器の一方の一の電子機器から他方の所望の電子機器へ第１の制御コマンドを送信する第１のステップと、送信された第１の制御コマンドをプロトコル変換器が受信して、第１の制御コマンドの受信側電子機器の識別番号とプロトコル変換器内で割り付けられる識別番号とを関連付けた識別番号対照表を用いて所望の電子機器のインタフェースの形式に適合した第２の制御コマンドに変換する第２のステップと、プロトコル変換器が第２の制御コマンドを、他方の所望の電子機器へ送信する第３のステップとを含むことを特徴とする。
【００３０】
この発明では、第１の電子機器又は第２の電子機器の一方の一の電子機器から他方の所望の電子機器へ送信された第１の制御コマンドを、プロトコル変換器により所望の電子機器のインタフェースの形式に適合した第２の制御コマンドに変換して他方の所望の電子機器へ送信することができる。
【００３１】
【発明の実施の形態】
次に、本発明の一実施の形態について図面と共に説明する。図１は本発明になる電子機器システムの一実施の形態のシステム構成図を示す。同図中、図１２と同一構成部分には同一符号を付してある。ここでは、シリアルインタフェースポートを有する機器と無線通信方式あるいは光無線方式のポートを有する機器とで互いに重複することのない唯一の識別番号（以下、共通識別番号と略記する）として、ＩＥＥＥ１３９４で用いられるＮＵＩＤを使用した例について説明する。この共通識別番号ＮＵＩＤは、メーカにより組立ラインで不揮発性メモリに記憶させる。
【００３２】
図１に示す電子機器システムでは、図１２におけるＡＶ機器Ｇ（１００−ｇ）が、シリアルインタフェース回路１０１−ｆ、シリアルインタフェースコネクタ１０２−ｆ、１０３−ｆ、１０４−ｆ及び無線通信方式あるいは光無線方式の信号送受信回路１１０−ｆを備えたプロトコル変換器１００−ｆに置き換えられている点と、無線通信方式あるいは光無線方式の送受信手段を装備したＡＶ機器Ｄ（１００−ｄ），ＡＶ機器Ｅ（１００−ｅ）が、ＮＵＩＤ１３０−ｄ、１３０−ｅを持つ点が図１２の従来の電子機器システムと異なる。なお、シリアルインタフェースポートを有するＡＶ機器は１台でもよく、無線通信方式あるいは光無線方式のポートを有するＡＶ機器も１台でもよい。
【００３３】
次に、図１の実施の形態において、シリアルインタフェース上のＡＶ機器Ａ（１００−ａ）をコントローラとし、そのコントローラから無線通信方式あるいは光無線方式のインタフェース上のＡＶ機器Ｄ（１００−ｄ）をターゲットとして、制御コマンドの一例としてパワーオンコマンドを送信する場合の動作について図２〜図４のフローチャートを併せ参照して説明する。
【００３４】
ここで、図２はコントロ−ラ（ＡＶ機器Ａ）１００−ａの処理手順説明用フローチャート、図３（Ａ）はプロトコル変換器１００−ｆのコマンドプロトコル変換に関する処理手順説明用フローチャート、図３（Ｂ）はプロトコル変換器１００−ｆの識別番号問合せに関する処理手順説明用フローチャート、図４はターゲット（ＡＶ機器Ｄ）１００−ｄの処理手順説明用フローチャートである。
【００３５】
まず、コントローラ（ＡＶ機器Ａ）１００−ａに対して、ターゲット（ＡＶ機器Ｄ）１００−ｄへのパワーオンコマンドが入力される（図２のステップ２００）。ターゲット（ＡＶ機器Ｄ）１００−ｄの共通識別番号はＳｄである。コントローラ（ＡＶ機器Ａ）１００−ａは、シリアルインタフェース上にターゲット（ＡＶ機器Ｄ）１００−ｄが存在するかを調べる（図２のステップ２０１）。
【００３６】
もし、シリアルインタフェース上にターゲット（ＡＶ機器Ｄ）１００−ｄが存在する場合は、コントローラ（ＡＶ機器Ａ）１００−ａは、シリアルインタフェースコネクタ１０２−ａからシリアルインタフェースケーブル５０を介してプロトコル変換器１００−ｆへターゲット（ＡＶ機器Ｄ）１００−ｄへのパワーオンコマンドを送信する（図２のステップ２０６）。これ以降は従来の技術と同様なので説明を省略する。
【００３７】
一方、コントローラ（ＡＶ機器Ａ）１００−ａは、シリアルインタフェース上にターゲット（ＡＶ機器Ｄ）１００−ｄが存在しないと判定した場合は、シリアルインタフェース上にプロトコル変換器が存在するかを調べる（図２のステップ２０２）。もし、ステップ２０２でシリアルインタフェース上にプロトコル変換器が存在しないと判定した場合、処理は終了する。
【００３８】
ここでは、シリアルインタフェース上にプロトコル変換器１００−ｆが存在するので、コントローラ（ＡＶ機器Ａ）１００−ａは、プロトコル変換器１００−ｆに対してターゲット（ＡＶ機器Ｄ）１００−ｄの識別番号Ｓｄに対応するプロトコル変換器１００−ｆ内の識別番号を問い合わせる（図２のステップ２０３）。
【００３９】
プロトコル変換器１００−ｆは、共通識別番号Ｓｄについての問合せを受信すると（図３（Ｂ）のステップ２２０）、プロトコル変換器１００−ｆ内の識別番号対照表１２０−ｆに共通識別番号Ｓｄが登録されているか調べる（図３（Ｂ）のステップ２２１）。登録されていない場合は、登録されていないことをコントローラ（ＡＶ機器Ａ）１００−ａに通知する（図３（Ｂ）のステップ２２３）。登録されている場合は、識別番号対照表１２０−ｆから共通識別番号Ｓｄに対応するプロトコル変換器１００−ｆ内の識別番号Ｐｄをコントローラ（ＡＶ機器Ａ）１００−ａに通知する（図３（Ｂ）のステップ２２２）。
【００４０】
コントローラ（ＡＶ機器Ａ）１００−ａは、プロトコル変換器１００−ｆからターゲット（ＡＶ機器Ｄ）１００−ｄの識別番号Ｓｄに対応するプロトコル変換器内の識別番号Ｐｄが存在しないと通知された場合（図２のステップ２０４分岐ＮＯ）、処理は終了する。
【００４１】
一方、コントローラ（ＡＶ機器Ａ）１００−ａは、プロトコル変換器１００−ｆからターゲット（ＡＶ機器Ｄ）１００−ｄの識別番号Ｓｄに対応するプロトコル変換器１００−ｆ内の識別番号Ｐｄが存在するとの通知を受けた場合（図２のステップ２０４分岐ＹＥＳ）、シリアルインタフェースコネクタ１０２−ａからプロトコル変換器１００−ｆ内の識別番号Ｐｄに向けてパワーオンコマンドを送信する（図２のステップ２０５）。
【００４２】
プロトコル変換器１００−ｆが、コントローラ（ＡＶ機器Ａ）１００−ａからシリアルインタフェースコネクタ１０２−ｆにプロトコル変換器内の識別番号Ｐｄに向けたパワーオンコマンドを受信すると（図３（Ａ）のステップ２１０）、識別番号対照表１２０−ｆからプロトコル変換器内の識別番号Ｐｄに対応した無線通信方式あるいは光無線方式インタフェース上での識別番号Ｗｄを取得する（図３（Ａ）のステップ２１１）。
【００４３】
続いて、プロトコル変換器１００−ｆは、無線通信方式あるいは光無線方式の信号送受信回路１１０−ｆから無線通信方式あるいは光無線方式上での識別番号Ｗｄに対してパワーオンコマンドを示す無線通信方式あるいは光無線方式の信号６０を送信する（図３（Ａ）のステップ２１２）。
【００４４】
無線通信方式あるいは光無線方式の信号６０は、無線通信方式あるいは光無線方式上での識別番号Ｗｄであるターゲット（ＡＶ機器Ｄ）１００−ｄの信号送受信回路１１０−ｄで受信される（図４のステップ２３０）。すると、ターゲット（ＡＶ機器Ｄ）１００−ｄは、受信した内容のパワーオンコマンドに基づき自機器の電源をオンにする（図４のステップ２３１）。
【００４５】
次に、無線通信方式あるいは光無線方式のインタフェース上のＡＶ機器Ｅ（１００−ｅ）をコントローラとし、このコントローラからシリアルインタフェース上のＡＶ機器Ｂ（１００−ｂ）をターゲットとしてパワーオンコマンドを送信する場合の図１の各部の動作について図５〜図７のフローチャートと共に説明する。
【００４６】
ここで、図５はコントロ−ラ（ＡＶ機器Ｅ）１００−ｅの処理手順説明用フローチャート、図６（Ａ）はプロトコル変換器１００−ｆのコマンドプロトコル変換に関する処理手順説明用フローチャート、図６（Ｂ）はプロトコル変換器１００−ｆの識別番号問合せに関する処理手順説明用フローチャート、図７はターゲット（ＡＶ機器Ｂ）１００−ｂの処理手順説明用フローチャートである。
【００４７】
まず、コントローラ（ＡＶ機器Ｅ）１００−ｅに対して、ターゲット（ＡＶ機器Ｂ）１００−ｂへのパワーオンコマンドが入力される（図５のステップ４００）。ターゲット（ＡＶ機器Ｂ）１００−ｂの共通識別番号はＳｂである。コントローラ（ＡＶ機器Ｅ）１００−ｅは、無線通信方式あるいは光無線方式のインタフェース上にターゲット（ＡＶ機器Ｂ）１００−ｂが存在するかを調べる（図５のステップ４０１）。
【００４８】
もし、無線通信方式あるいは光無線方式のインタフェース上にターゲット（ＡＶ機器Ｂ）１００−ｂが存在する場合は、無線通信方式あるいは光無線方式の送信手段１１０−ｅからターゲット（ＡＶ機器Ｂ）１００−ｂへのパワーオンコマンドを送信する（図５のステップ４０６）。これ以降は従来の技術と同様なので省略する。
【００４９】
一方、無線通信方式あるいは光無線方式のインタフェース上にターゲット（ＡＶ機器Ｂ）１００−ｂが存在しない場合は、無線通信方式あるいは光無線方式のインタフェース上にプロトコル変換器１００−ｆが存在するかを調べる（図５のステップ４０２）。
【００５０】
ここでは、無線通信方式あるいは光無線方式のインタフェース上にターゲット（ＡＶ機器Ｂ）１００−ｂが存在しないので、コントローラ（ＡＶ機器Ｅ）１００−ｅは、ステップ４０２に進み、無線通信方式あるいは光無線方式のインタフェース上にプロトコル変換器１００−ｆが存在するか否か調べ、存在しない場合、処理を終了する。
【００５１】
ここでは、無線通信方式あるいは光無線方式のインタフェース上にプロトコル変換器１００−ｆが存在するので、コントローラ（ＡＶ機器Ｅ）１００−ｅは、プロトコル変換器１００−ｆに対してターゲット（ＡＶ機器Ｂ）１００−ｂの共通識別番号Ｓｂに対応するプロトコル変換器１００−ｆ内の識別番号を問い合わせる（図５のステップ４０３）。
【００５２】
プロトコル変換器１００−ｆは、共通識別番号Ｓｂについての問合せを受信すると（図６（Ｂ）のステップ４２０）、プロトコル変換器１００−ｆ内の識別番号対照表１２０−ｆに共通識別番号Ｓｂが登録されているか調べる（図６（Ｂ）のステップ４２１）。登録されていない場合は、登録されていないことをコントローラ（ＡＶ機器Ｅ）１００−ｅに通知する（図６（Ｂ）のステップ４２３）。登録されている場合は、識別番号対照表１２０−ｆから共通識別番号Ｓｂに対応するプロトコル変換器１００−ｆ内の識別番号Ｐｂをコントローラ（ＡＶ機器Ｅ）１００−ｅに通知する（図６（Ｂ）のステップ４２２）。
【００５３】
コントローラ（ＡＶ機器Ｅ）１００−ｅは、プロトコル変換器１００−ｆからターゲット（ＡＶ機器Ｂ）１００−ｂの識別番号Ｓｂに対応するプロトコル変換器内の識別番号Ｐｂが存在しないと通知された場合（図５のステップ４０４分岐ＮＯ）、処理は終了する。
【００５４】
一方、コントローラ（ＡＶ機器Ｅ）１００−ｅは、プロトコル変換器１００−ｆからターゲット（ＡＶ機器Ｂ）１００−ｂの識別番号Ｓｂに対応するプロトコル変換器１００−ｆ内の識別番号Ｐｂが存在するとの通知を受けた場合（図５のステップ４０４分岐ＹＥＳ）、無線通信方式または光無線方式の送受信手段１１０−ｅからプロトコル変換器１００−ｆ内の識別番号Ｐｂに向けてパワーオンコマンドを示す内容の信号６１を送信する（図５のステップ４０５）。
【００５５】
プロトコル変換器１００−ｆは、コントローラ（ＡＶ機器Ｅ）１００−ｅからプロトコル変換器内の識別番号Ｐｂに向けたパワーオンコマンドを示す内容の信号６１を無線通信方式または光無線方式の送受信手段１１０−ｆにて受信すると（図６（Ａ）のステップ４１０）、識別番号対照表１２０−ｆからプロトコル変換器内の識別番号Ｐｂに対応した共通識別番号Ｓｂを取得する（図６（Ａ）のステップ４１１）。
【００５６】
続いて、プロトコル変換器１００−ｆは、シリアルインタフェースコネクタ１０３−ｆから共通識別番号Ｓｂのターゲット（ＡＶ機器Ｂ）１００−ｂに対して、インタフェースケーブル５１を介してパワーオンコマンドを送信する（図６（Ａ）のステップ４１２）。ターゲット（ＡＶ機器Ｂ）１００−ｂは、シリアルインタフェースコネクタ１０３−ｆからのパワーオンコマンドをシリアルインタフェースコネクタ１０２−ｂで受信すると（図７のステップ４３０）、自機器の電源をオンする（図７のステップ４３１）。
【００５７】
次に、図１のプロトコル変換器１００−ｆ内の識別番号対照表１２０−ｆについて説明する。識別番号対照表１２０−ｆは、例えば表６と表７に示す。
【表６】
2004312225.tif 000008
【表７】
2004312225.tif 000009
【００５８】
シリアルインタフェース上にあるコントローラから無線通信方式または光無線方式のインタフェース上にあるターゲットにコマンドを送信する場合は、表６の識別番号対照表を用いる。表６の識別番号対照表は、共通識別番号とプロトコル変換器１００−ｆ内の識別番号と無線通信方式あるいは光無線方式の識別番号を関連付けた対照表である。例えば、共通識別番号ＳｄであるＡＶ機器Ｄは、プロトコル変換器内の識別番号Ｐｄと無線通信方式あるいは光無線方式の識別番号Ｗｄと関連付けられている。
【００５９】
一方、無線通信方式または光無線方式のインタフェース上にあるコントローラからシリアルインタフェース上にあるターゲットにコマンドを送信する場合は、表７の識別番号対照表を用いる。表７の識別番号対照表は、共通識別番号とプロトコル変換器１００−ｆ内の識別番号を関連付けた対照表である。例えば、共通識別番号ＳｂであるＡＶ機器Ｂは、プロトコル変換器内の識別番号Ｐｂと関連付けられている。
【００６０】
表８は、シリアルインタフェースにＩＥＥＥ１３９４、無線通信方式あるいは光無線方式に近接無線通信方式であるブルートゥースを使用した、シリアルインタフェース上にあるコントローラから無線通信方式または光無線方式のインタフェース上にあるターゲットにコマンドを送信する場合の識別番号対照表の例である。
【表８】
2004312225.tif 000010
【００６１】
共通識別番号として６４ビットのＮＵＩＤ、プロトコル変換器内の識別番号としてＩＥＥＥ１３９４ＡＶ／Ｃプロトコルで定められている８ビットのＡＶ／Ｃアドレス、無線通信方式あるいは光無線方式の識別番号としてブルートゥースの４８ビットのブルートゥースアドレスを使用している。
【００６２】
従って、本実施の形態によれば、本来、機器内の機能ユニットを示すＡＶ／Ｃアドレスを、図８に示すように別の機器に関連付けることによって、既存のＡＶ／Ｃコマンドを使ってブルートゥースインタフェースのみを装備し、ＩＥＥＥ１３９４インタフェースを装備していないようなＡＶ機器でもブルートゥース経由でコマンドを送ることができる。
【００６３】
なお、電子機器システムを構成するＡＶ機器の追加、削除に対応して、例えばユーザーが取扱説明書等に書かれている番号を見て、プロトコル変換器１００−ｆ内の識別番号対照表１２０−ｆを更新するか、プロトコル変換器１００−ｆがそれぞれのネットワークを検索して自動的に識別番号対照表１２０−ｆを更新する必要がある。
【００６４】
図１に示した電子機器システムの具体例としては、例えば車両内の機器を制御する車載ネットワークでブルートゥースとＩＤＢ１３９４（車載用１３９４）やＭＯＳＴ（車載ネットワークの規格）とのブリッジや、家電機器を繋ぐホームネットワークなどが考えられる。
【００６５】
なお、本発明は上記の実施の形態に限定されるものではなく、例えば、上記の実施の形態では、無線通信方式あるいは光無線方式のインタフェースとして、ブルートゥースを説明したが、赤外線を利用したＩｒＤＡ、無線ＬＡＮの規格であるＩＥＥＥ８０２．１１ａ、ＩＥＥＥ８０２．１１ｂ等にも適用可能である。また、シリアルインタフェースとしては、上記のＩＥＥＥ１３９４以外に、例えばＵＳＢやＭＯＳＴなどにも適用可能である。また、電子機器システムを構成する電子機器としては、ＡＶ機器以外に、エアコン等の家電機器や電話機等の通信機器を使用することも可能である。
【００６６】
【発明の効果】
以上説明したように、本発明によれば、第１の電子機器から所定のシリアルインタフェースに基づき送信された第１の制御コマンドは、プロトコル変換器により、所定の無線通信方式のインタフェースに基づく第２の制御コマンドに変換して第２の電子機器のうち所望の一の電子機器宛へ送信でき、第２の電子機器から所定の無線通信方式のインタフェースに基づき送信された第３の制御コマンドは、プロトコル変換器により、所定のシリアルインタフェースに基づく第４の制御コマンドに変換して第１の電子機器のうち所望の一の電子機器宛へ送信できるようにしたため、所定のシリアルインタフェースに基づく第１の電子機器から所定の無線通信方式のインタフェースに基づく第２の電子機器の制御が可能となり、また逆に、所定の無線通信方式のインタフェースに基づく第２の電子機器から所定のシリアルインタフェースに基づく第１の電子機器の制御が可能となる。
【図面の簡単な説明】
【図１】本発明の電子機器システムの一実施の形態のシステム構成図である。
【図２】図１中のコントローラ（ＡＶ機器Ａ）の処理手順説明用フローチャートである。
【図３】図１中のプロトコル変換器の処理手順説明用フローチャートである。
【図４】図１中のターゲット（ＡＶ機器Ｄ）の処理手順説明用フローチャートである。
【図５】図１中のコントローラ（ＡＶ機器Ｅ）の処理手順説明用フローチャートである。
【図６】図１中のプロトコル変換器の処理手順説明用フローチャートである。
【図７】図１中のターゲット（ＡＶ機器Ｂ）の処理手順説明用フローチャートである。
【図８】本発明システムのプロトコル変換器におけるユニットとサブユニットの構成例を示す図である。
【図９】ＡＶ／Ｃコマンドフレームを示す図である。
【図１０】ＩＥＥＥ１３９４でのユニットとサブユニットの構成例を示す図である。
【図１１】ブルートゥースの無線通信ネットワーク（ピコネット）の例を示す図である。
【図１２】従来の電子機器システムの一例を示すシステム構成図である。
【図１３】従来の電子機器システムのコントローラの処理手順説明用フローチャートである。
【図１４】従来の電子機器システムの中継器（ＡＶ機器Ｇ）の処理手順説明用フローチャートである。
【図１５】従来の電子機器システムの一例のターゲットの処理手順説明用フローチャートである。
【符号の説明】
５０、５１、５２  シリアルインタフェースケーブル
６０、６１  無線通信方式あるいは光無線方式の信号
１００−ａ、１００−ｂ、１００−ｃ  シリアルインタフェースポートを装備したＡＶ機器
１００−ｄ、１００−ｅ  無線通信方式あるいは光無線方式のインタフェースポートを装備したＡＶ機器
１００−ｆ  プロトコル変換器
１０１−ａ、１０１−ｂ、１０１−ｃ、１０１−ｆ  シリアルインタフェース回路
１０２−ａ、１０２−ｂ、１０２−ｃ、１０２−ｆ、１０３−ｆ、１０４−ｆシリアルインタフェースコネクタ
１１０−ｄ、１１０−ｅ、１１０−ｆ  無線通信方式あるいは光無線方式の信号送受信回路
１２０−ｆ  シリアルインタフェースの識別番号と無線通信方式あるいは光無線方式の識別番号とプロトコル変換器内の識別番号の対照表
１３０−ａ、１３０−ｂ、１３０−ｃ、１３０−ｄ、１３０−ｅ、１３０−ｆノードユニークＩＤ（ＮＵＩＤ）
【図１】
2004312225.tif 000011
【図２】
2004312225.tif 000012
【図３】
2004312225.tif 000013
【図４】
2004312225.tif 000014
【図５】
2004312225.tif 000015
【図６】
2004312225.tif 000016
【図７】
2004312225.tif 000017
【図８】
2004312225.tif 000018
【図９】
2004312225.tif 000019
【図１０】
2004312225.tif 000020
【図１１】
2004312225.tif 000021
【図１２】
2004312225.tif 000022
【図１３】
2004312225.tif 000023
【図１４】
2004312225.tif 000024
【図１５】
2004312225.tif 000025